(57)【要約】【課題】給湯機を構成する装置の取り付けを簡素化し、組み立てが容易な給湯機及び給湯機の組立方法を提供すること。【解決手段】この給湯暖房機１の組立方法は、設置時における前面及び底面が開放された略直方体形状のバックカバーと、バックカバーの底面に固定された底板５とに、各装置を組み付ける。底板５に、水量調整器６１と、給湯用ガス開閉器５４と、暖房用ガス開閉器３５と、水量調整器６１とを組み付け、バックカバーに、給湯用バーナと、暖房用バーナと、給湯用熱交換器と、暖房用熱交換器と、給湯用ファン４１と、暖房用ファン４２とを組み付ける。次に、各装置を組み付けた底板５を、各装置を組み付けたバックカバーの開放される底面側に装着して固定し、バックカバーの開放される前面側にフロントカバーを固定することにより給湯暖房機１が組み立てられる。【選択図】  図８
2005037018.tif 000002
【特許請求の範囲】
【請求項１】
筐体内に、バーナと、当該バーナに空気を送風する送風ファンと、前記バーナの上方に設けられ、前記バーナの燃焼気体から熱を回収して水を加熱する熱交換器と、当該熱交換器に供給する水の量を調整する水量調整器と、前記バーナに供給する燃料の量を調整する燃料調整器とを備えた給湯機であって、
前記筐体は、設置時における前面及び底面が開放された略直方体形状のバックカバーと、
前記バックカバーの底面に脱着可能に固定される底板と、
当該バックカバーの前面に脱着可能に固定されるフロントカバーと
から構成され、
前記バックカバーには、前記バーナと、前記送風ファンと、前記熱交換器とが固定され、
前記底板には、前記水量調整器と、前記燃料調整器と、水が供給される給水接続口と、ガス燃料が供給されるガス接続口と、前記熱交換器によって加熱された湯が排出される給湯接続口とが固定され、
前記固定された状態で、前記バックカバーに前記底板が組み付けられることを特徴とする給湯機。
【請求項２】
前記バックカバーの背面の底面側の端部に設けられ、前記バックカバーの背面から前記フロントカバーに向かって前記背面に対して略直角方向に張り出した第１のフランジと、
当該第１のフランジに設けられた第１の固定穴と、
前記第１のフランジと当接する前記底板に設けられ、前記第１の固定穴に対向する第１の取付穴と、
前記バックカバーの両側面の端部と当接する前記底板の両端部に各々設けられ、前記バックカバーの上部に向かって前記底板に対して略直角方向に各々張り出した第２のフランジと、
当該第２のフランジに各々設けられた第２の固定穴と、
前記第２のフランジと当接する前記バックカバーの両端部近傍に各々設けられ、前記第２の固定穴に各々対向する第２の取付穴と
を備えたことを特徴とする請求項１に記載の給湯機。
【請求項３】
前記バックカバーの背面及び側面の底面側端部に各々設けられ、前記バックカバーの内側に向かって前記背面及び前記側面に対して略直角方向に各々張り出した３つの第３のフランジと、
当該第３のフランジに各々設けられた第３の固定穴と、
前記第３のフランジと当接する前記底板に各々設けられ、前記第３の固定穴に各々対向する第３の取付穴と
を備えたことを特徴とする請求項１に記載の給湯機。
【請求項４】
設置時における前面及び底面が開放された略直方体形状のバックカバーと、当該バックカバーの底面に固定された底板と、前記バックカバーの前面に固定されたフロントカバーとから構成された筐体内に、空気と燃料との混合気体を燃焼するバーナと、当該バーナに空気を送風する送風ファンと、前記バーナの上方に設けられ、前記バーナの燃焼気体から熱を回収して水を加熱する熱交換器と、当該熱交換器に供給する水の量を調整する水量調整器と、前記バーナに供給する燃料の量を調整する燃料調整器とを組み付ける給湯機の組立方法であって、
前記バックカバーに、前記バーナと、前記送風ファンと、前記熱交換器とを固定する工程と、
前記底板に、前記水量調整器と、前記燃料調整器とを固定する工程と、
前記底板を前記バックカバーの底面側から固定する工程と
を包含することを特徴とする給湯機の組立方法。
【発明の詳細な説明】
【０００１】
【発明の属する技術分野】
本発明は、給湯機及び給湯機の組立方法に関し、詳細には、バーナの燃焼気体から熱を回収して通水を過熱して湯を供給する給湯機及び給湯機の組立方法に関するものである。
【０００２】
【従来の技術】
従来、給湯機は前面が開口する箱状の筐体を有し、その筐体内に、熱源機としてのバーナ、バーナに空気を供給する送風機、水を加熱する熱交換器、熱交換器に供給するガスの量を調整する燃料供給装置及び温水を外部の放熱器等に循環させる循環ポンプ等の各装置を備えたものが知られている（例えば、特許文献１参照）。このような給湯機では、筐体の前面の開口部には前面パネルが着脱可能となっており、前面パネルを取り外すことにより、筐体の内部に組み付けられた装置のメンテナンス作業及び交換作業等が可能となっていた。
【０００３】
【特許文献１】
特開平９−１２６４７９号公報
【０００４】
【発明が解決しようとする課題】
しかしながら、特許文献１に記載の給湯機の組み立て時には、上述の各装置が筐体の内側に各々組み付けられるため、各装置の筐体内における組み付けの位置決めが難しく、自動組立作業等の合理化が図りにくいという問題点があった。また、給湯機を組み立てた状態において、各装置が筐体内にて互いに重なり合った状態で組み付けられているため、前面パネルの外された筐体の前面からの各構成装置の交換作業、及び検査等が難しく、作業時間がかかるという問題点があった。
【０００５】
本発明は、上述の課題を解決するためになされたものであり、給湯機を構成する各装置の組み付けを簡素化し、組み立てが容易な給湯機及び給湯機の組立方法を提供することを目的とする。
【０００６】
【課題を解決するための手段】
上記目的を達成するために、請求項１に記載の給湯機は、筐体内に、バーナと、当該バーナに空気を送風する送風ファンと、前記バーナの上方に設けられ、前記バーナの燃焼気体から熱を回収して水を加熱する熱交換器と、当該熱交換器に供給する水の量を調整する水量調整器と、前記バーナに供給する燃料の量を調整する燃料調整器とを備えた給湯機であって、前記筐体は、設置時における前面及び底面が開放された略直方体形状のバックカバーと、前記バックカバーの底面に脱着可能に固定される底板と、当該バックカバーの前面に脱着可能に固定されるフロントカバーとから構成され、前記バックカバーには、前記バーナと、前記送風ファンと、前記熱交換器とが固定され、前記底板には、前記水量調整器と、前記燃料調整器と、水が供給される給水接続口と、ガス燃料が供給されるガス接続口と、前記熱交換器によって加熱された湯が排出される給湯接続口とが固定され、前記固定された状態で、前記バックカバーに前記底板が組み付けられることを特徴とする。
【０００７】
この構成の給湯機の組立時では、設置時における前面及び底面が開放されたバックカバーには、バーナと、送風ファンと、熱交換器とが固定され、底板には、水量調整器と、燃料調整器と、給水接続口と、ガス接続口と、給湯接続口とが固定され、その後、バックカバーに底板を組み付けるため、底板に固定される各装置の取付作業においては、筐体の他の壁面が邪魔にならずに行えるため、給湯機の組み立てを容易にすることができる。また、バックカバーに底板を固定する前段階において、底板に固定された装置は外部に露出された状態となり、底板に固定された水量調整器及び燃料調整器の検査がしやすく、装置の交換作業等が行い易い。
【０００８】
また、請求項２に記載の給湯機は、請求項１に記載の発明の構成に加え、前記バックカバーの背面の底面側の端部に設けられ、前記バックカバーの背面から前記フロントカバーに向かって前記背面に対して略直角方向に張り出した第１のフランジと、当該第１のフランジに設けられた第１の固定穴と、前記第１のフランジと当接する前記底板に設けられ、前記第１の固定穴に対向する第１の取付穴と、前記バックカバーの両側面の端部と当接する前記底板の両端部に各々設けられ、前記バックカバーの上部に向かって前記底板に対して略直角方向に各々張り出した第２のフランジと、当該第２のフランジに各々設けられた第２の固定穴と、前記第２のフランジと当接する前記バックカバーの両端部近傍に各々設けられ、前記第２の固定穴に各々対向する第２の取付穴とを備えている。
【０００９】
この構成の給湯機では、請求項１に記載の発明の作用に加え、バックカバーへの底板の取付作業において、各装置を組み付けたバックカバーの背面側を床面等に載置した場合、第１のフランジに設けられた第１の固定穴と底板に設けられた第１の取付穴、及び第２のフランジに設けられた第２の固定穴とバックカバーに設けられた第２の取付穴は各々床面側に隠れることがないので、取付作業中にバックカバー及び底板を置き換えることなく、バックカバーに底板を迅速に固定することができる。
【００１０】
また、請求項３に記載の給湯機は、請求項１に記載の発明の構成に加え、前記バックカバーの背面及び側面の底面側端部に各々設けられ、前記バックカバーの内側に向かって前記背面及び前記側面に対して略直角方向に各々張り出した３つの第３のフランジと、当該第３のフランジに各々設けられた第３の固定穴と、前記第３のフランジと当接する前記底板に各々設けられ、前記第３の固定穴に各々対向する第３の取付穴とを備えている。
【００１１】
この構成の給湯機では、請求項１に記載の発明の作用に加え、各装置を組み付けたバックカバーの背面側を床面等に載置した場合、底板側からバックカバーに向かって一方向に第３のフランジに設けられた第３の固定穴と、底板に設けられた第３の取付穴とを固定具で固定できるので、組み立て作業を迅速に行うことができる。
【００１２】
また、請求項４に記載の給湯機の組立方法は、設置時における前面及び底面が開放された略直方体形状のバックカバーと、当該バックカバーの底面に固定された底板と、前記バックカバーの前面に固定されたフロントカバーとから構成された筐体内に、空気と燃料との混合気体を燃焼するバーナと、当該バーナに空気を送風する送風ファンと、前記バーナの上方に設けられ、前記バーナの燃焼気体から熱を回収して水を加熱する熱交換器と、当該熱交換器に供給する水の量を調整する水量調整器と、前記バーナに供給する燃料の量を調整する燃料調整器とを組み付ける給湯機の組立方法であって、前記バックカバーに、前記バーナと、前記送風ファンと、前記熱交換器とを固定する工程と、前記底板に、前記水量調整器と、前記燃料調整器とを固定する工程と、前記底板を前記バックカバーの底面側から固定する工程とを包含することを特徴とする。
【００１３】
この構成の給湯機の組立方法では、バックカバーに、バーナと、送風ファンと、熱交換器とを固定し、底板に、水量調整器と、燃料調整器とを固定した後に、底板を前記バックカバーの底面側から固定する。したがって、筐体内に組み付ける装置の多くを底板に直接組み付けるため、水量調整器及び燃料調整器等の装置の底板への固定は容易であり、しかも、それらは外部に露出された状態であるので、固定された各装置の検査が行い易い。
【００１４】
【発明の実施の形態】
以下、本発明の一実施の形態について、図面に基づいて説明する。本発明の一実施の形態では、供給された水道水を加熱して外部に湯を供給する給湯機能と、湯を外部の室内及び床下に設置された放熱器（図示外）に供給し、室内や床を暖房する暖房機能とを併せもつ給湯暖房機１を本発明の一実施の形態として詳細に説明する。まず、給湯暖房機１の外観について、図１乃至図４を参照して説明する。図１は、給湯暖房機１の正面図であり、図２は、給湯暖房機１の側面図であり、図３は、給湯暖房機１の底面図であり、図４は、バックカバー３と底板５との固定方法を示す斜視図である。図１，図２及び図３に示すように、給湯暖房機１は略直方体形状の筐体２を備えており、筐体２は横幅：４５１ｍｍ、高さ６００ｍｍ、奥行き：２４０ｍｍの略直方体形状の箱である。さらに、筐体２は、図２又は図４に示すように、平面視略長方形状の一枚の平板を平面視略コの字型形状に折り曲げ、左側壁３ａ，右側壁３ｂ及び背面壁３ｃが各々形成された周壁部１３の上端部側に平面視略長方形の天板８が上方から覆設されて構成されるバックカバー３と、バックカバー３の開放された底面側に固定される底板５と、バックカバー３の背面壁３ｃと対向する前面側に固定されるフロントカバー４とにより構成されている。
【００１５】
まず、給湯暖房機１のフロントカバー４について、図１及び図２を参照して説明する。図１及び図２に示すように、給湯暖房機１の前面側には正面視略長方形状のフロントカバー４が、バックカバー３の開放された前面側に固定されている。フロントカバー４の上部の略中央には、正面視略円形状の排気口７が形成されている。そして、その排気口７の外周枠には、中央が排気口７と同形状に貫通する略円柱形状の排気アダプタ６がフロントカバー４から水平方向に凸設されている（図２参照）。そして、排気口７には外部から異物が侵入することを防止するスリット穴状のカバー７ａが嵌め込まれている。
【００１６】
また、図１に示すように、フロントカバー４の下部には、開口部を塞ぐ横長の正面視略長方形状のケーブル接続扉１０が右側寄りに設けられており、その上部はビス１０ａ、１０ｂによって、フロントカバー４に固定されている。このケーブル接続扉１０の裏面側には、後述するコントローラ６０（図９参照）が設けられており、コントローラ６０の点検、又は給湯暖房機１の試運転時によるコントローラ６０の操作等の場合において、ケーブル接続扉１０をフロントカバー４から外して作業が行えるようになっている。また、フロントカバー４の上部の左側の角部近傍にも、開口部を塞ぐ正面視略長方形状の注入扉９がビス９ａによって固定されている。この注入扉９は、後述する膨張タンク５０（図８参照）に水、不凍液等を直接注入する時にフロントカバー４から取り外され、注入作業が行えるようになっている。さらに、図１及び図２に示すように、フロントカバー４の外周縁部には、後述するバックカバー３のフランジ２ａ，２ｂ及び２ｃ（図４参照）と、底板５のフランジ５ｃ（図４参照）とに当接して固定される突出部４ａが設けられている。
【００１７】
次に、給湯暖房機１の取付板１１，１２について、図１又は図２を参照して説明する。図１又は図２に示すように、給湯暖房機１の背面側（図２参照）の上端部には、給湯暖房機１を壁等に固定する正面視略長方形状の取付板１１が設けられ、取付板１１には複数の略円形状の取付穴１１ａと、複数の略楕円形状の取付穴１１ｂとが設けられている。取付板１１に設けられた取付穴１１ａ及び取付穴１１ｂにビス等を貫通して壁に固定することにより、給湯暖房機１が壁に取り付けられるようになっている。さらに、給湯暖房機１の背面の下端にも同様に、取付板１１と同形状の取付板１２が設けられている。そして、取付板１２にも略円形状の複数の取付穴１２ａと複数の略楕円形状の取付穴１２ｂとが設けられており、取付板１２の取付穴１２ａ及び１２ｂにもビスを貫通して、給湯暖房機１を壁面に強固に固定することができるようになっている。
【００１８】
次に、給湯暖房機１の底板５について、図１，図２及び図３を参照して説明する。図３に示すように、給湯暖房機１の底板５には、給湯暖房機１にケーブルが接続される３つのケーブル接続口１５ａ，１５ｂ及び１５ｃが設けられ、ケーブル接続口１５ａは、給湯暖房機１のフロントカバー４側の底板５の端部と、底板５の右端部とに挟まれる底板５の角部近傍に設けられ、残り２つのケーブル接続口１５ｂ，１５ｃは、フロントカバー４側の底板５の端部の略中央近傍に、フロントカバー４の面に対して略並列に設けられている。さらに、底板５の背面側端部と右側端部とに挟まれる角部近傍には、給湯暖房機１によって加熱された湯が外部に供給される給湯接続口１７が設けられ、給湯接続口１７には凍結予防のために給湯暖房機１内の水抜きを行う水抜き栓２８が設けられている。また、ケーブル接続口１５ａと給湯接続口１７とに挟まれる位置には、給湯暖房機１内に設けられた後述する膨張タンク５０（図８参照）からオーバーフローした湯が外部に排出されるオーバーフロー排出口１８が設けられている。
【００１９】
さらに、給湯接続口１７とケーブル接続口１５ｂ，１５ｃとの間には、給湯暖房機１に水が供給される給水接続口１６が設けられ、その給水接続口１６には、供給された水の中に含まれる異物等をろ過するストレーナ２６が設けられている。また、ケーブル接続口１５ｂ，１５ｃの図３の左側の近傍には、給湯暖房機１にガスを供給するガス接続口２７が設けられている。さらにガス接続口２７と底板５の左端部との間には、給湯暖房機１内から外部（主に、床暖用の配管）に低温の湯が供給される６つの低温往き接続口２５が、フロントカバー４に対して平行に２列（一列に３つの低温往き接続口２５）になって設けられている。また、底板５の左端部の略中央から、底板５の背面側端部の略中央に向かって設けられており、底板５の左端部には、給湯暖房機１で加熱された湯が外部に接続された暖房用の高温放熱器（図示外）に供給される暖房往き接続口２３と、高温放熱器で放熱された湯が給湯暖房機１に戻される暖房戻り接続口２２とが一対となって設けられ、さらにその隣には給湯暖房機１で加熱された湯が外部に繋がれた風呂（図示外）に供給される風呂往き接続口２１と、風呂から湯が循環して給湯暖房機１に戻される風呂戻り接続口２０とが一対になって設けられている。
【００２０】
次に、バックカバー３を構成する天板８と周壁部１３との固定方法について、図４を参照して説明する。図４に示すように、左側壁３ａの上部の端部と、右側壁３ｂの上部の端部とに当接する天板８の両端部は、左側壁３ａ及び右側壁３ｂの方向に略直角に各々折り曲げられて、フランジ５５，５６となっている。背面壁３ｃの上部に当接する天板８の端部も同様に、背面壁３ｃに向かって略直角に折り曲げられたフランジ５７が設けられている。尚、天板８の両端部に設けられたフランジ５５，５６の内側面は、左側壁３ａ，右側壁３ｂの外側面に当接しており、またフランジ５７の内側面も同様に背面壁３ｃの外側面に当接している。そして、天板８のフランジ５５，５６及び５７に各々設けられた３つの固定穴（図示外）は、左側壁３ａ，右側壁３ｂ及び背面壁３ｃの端部に各々設けられた３つの取付穴（図示外）に各々対向するようになっており、ビス３９によって固定穴と取付穴とを各々固定することにより、周壁部１３の上部に天板８が固定される。尚、天板８は周壁部１３の上部の端部に当接されるようになっているが、フランジ５５，５６，５７を周壁部１３の上部端部の内側面に各々当接して固定するようにしてもよく、どれか１つ又は２つを内側面に当接するようにしてもよい。また、フランジ５５〜５７の固定穴及び左側壁３ａ，右側壁３ｂ及び背面壁３ｃの取付穴の個数は上記に限らず自由に変更してもよい。
【００２１】
また、フロントカバー４が固定されるバックカバー３の開放された前面側の外周枠を形成する天板８の前面側端部と、左側壁３ａの前面側端部と、右側壁３ｂの前面側端部には、フロントカバー４が固定されるフランジ２ａ，２ｂ及び２ｃが設けられている。尚、フランジ２ａの長手方向に垂直な両端部近傍には、フロントカバー４が当接して固定される固定穴１４が各々設けられている。
【００２２】
そして、図４に示すように、後述する底板５のフランジ５ａと当接する左側壁３ａの端部近傍には３つの取付穴３３が設けられ、底板５のフランジ５ｂと当接する右側壁３ｂの端部近傍には３つの取付穴３４が各々設けられている。尚、取付穴３３，３４は、底板５のフランジ５ａ，５ｂに設けられた３つの固定穴３７，３８と各々対向するようになっている。尚、取付穴３３，３４の数は上記に限らず、自由に変更してもよい。
【００２３】
次に、バックカバー３に固定されるフランジ３０について、図４を参照して説明する。図４に示すように、フランジ３０は長手方向に直交する断面視が略Ｌ字型の形状をなすアングル部材であり、フランジ３０の直角部を形成する側をバックカバー３の内側に向け、フランジ３０の略Ｌ字型を構成する２片のうちの１片をバックカバー３の背面壁３ｃの端部に沿って当接して固定されている。したがって、フランジ３０の１片が、背面壁３ｃの端部からフロントカバー４が固定されるバックカバー３の前面側に向かって略直角方向に向かって凸設されている。そして、フランジ３０の底板５が当接する側の該一片には、４つの固定穴３１が設けられている。尚、図４に示すフランジ３０が、「第１のフランジ」に相当する。
【００２４】
尚、本実施の形態のフランジ３０は、バックカバー３の周壁部１３とは別の部材であるが、周壁部１３にフランジ３０の形状を有する同一平板として一体成形し、背面壁３ｃの端部より延設するフランジ３０をフロントカバー４が固定される側に向かって略直角方向に折り曲げてもよい。
【００２５】
次に、底板５について、図４を参照して説明する。図４に示すように、平面視略長方形状の底板５は、バックカバー３の開放される底面側から固定されるようになっている。そして、バックカバー３の左側壁３ａと当接する底板５の端部は、バックカバー３の固定側に向かって略直角方向に折り曲げられて、フランジ５ａが形成されている。そしてフランジ５ａの内側面は、バックカバー３の左側壁３ａ端部の外側面に当接するようになっている。また、バックカバー３の右側壁３ｂと当接する底板５の端部も同様に、バックカバー３の固定側に向かって略直角方向に折り曲げられて、フランジ５ｂが形成されている。そして、フランジ５ｂの内側面は、バックカバー３の右側壁３ｂ端部の外側面に当接するようになっている。さらに、フランジ５ａ及びフランジ５ｂには、バックカバー３の開放される底面側端部に固定される３つの固定穴３７，３８が各々設けられている。固定穴３７，３８は上述したバックカバー３の左側壁３ａと、右側壁３ｂとに設けられた取付穴３３，３４に各々対向する位置に設けられている。さらに、バックカバー３に設けられたフランジ３０に当接して固定される底板５の端部近傍には、４つの取付穴３６がフランジ３０の４つの固定穴３１に各々対向する位置に設けられている。尚、固定穴３７と取付穴３３、固定穴３８と取付穴３４は、図２に示すように、ビス４０で固定されるようになっている。
【００２６】
また、底板５のフロントカバー４が固定される端部がバックカバー３の内側とは反対側に向かって底板５に対して略直角方向に折り曲げられることにより、フランジ５ｃが形成されている。そして、フランジ５ｃの両端部近傍には、フロントカバー４の突出部４ａが当接してフランジ５ｃに固定される固定穴１９が設けられている。尚、図４に示すフランジ５ｂ及び５ｃが、「第２のフランジ」に相当する。
【００２７】
また、底板５には、図４に示すように、ケーブル接続口１５ａ，１５ｂ，１５ｃが固定される固定穴１５ａ１，１５ｂ１，１５ｃ１と、給湯接続口１７が固定される固定穴１７ａと，オーバーフロー排出口１８が固定される固定穴１８ａと、給水接続口１６が固定される固定穴１６ａと、ガス接続口２７が固定される固定穴２７ａと、６つの低温往き接続口２５が各々固定される６つの固定穴２５ａと、暖房往き接続口２３が固定されるための固定穴２３ａと、暖房戻り接続口２２が固定される固定穴２２ａと、風呂往き接続口２１が固定される固定穴２１ａと、風呂戻り接続口２０が固定される固定穴２０ａとが、上述した図３の底板５に固定された各装置の固定場所に各々対応する底板５の各位置に各固定穴が設けられている。
【００２８】
次に、底板５に組み付けられる給湯暖房機１を構成する各装置の構成について、図５を参照して説明する。図５は、底板５に各装置を組み付けた状態を示す底板５の正面図である。尚、前記各装置は、底板５のバックカバー３に固定される側の表面側（図５の底板５の上面側）に組み付けられている。底板５の裏面側に固定されたガス接続口２７の上方には、ガス接続口２７から供給されるガスを後述する給湯用熱交換器４５に供給する量を調整する給湯用ガス開閉器５４と、さらにその上方には後述する暖房用熱交換器４６（図６参照）に供給するガスの量を調整する暖房用ガス開閉器３５とが設けられている。そして、暖房用ガス開閉器３５の下方であって、給湯用ガス開閉器５４に隣接する風呂循環ポンプ３２が底板５に組み付けられている。風呂循環ポンプ３２は、図示外の風呂に加圧して湯を循環させる装置である。また、暖房用ガス開閉器３５の下方には、後述するジョイント部９５，９６が設けられている。尚、図５に示す給湯用ガス開閉器５４と、暖房用ガス開閉器３５とが「燃料調整器」に相当する。
【００２９】
また、図５に示すように、底板５の裏面側に固定された６つの低温往き接続口２５の上方には、暖房用熱交換器４６によって加熱された湯の熱を回収して、図示外の風呂と給湯暖房機１とを循環する湯を再度加熱して追い炊きする風呂用熱交換器５１が設けられ、その風呂用熱交換器５１の上方には、後述する膨張タンク５０から供給される湯を加圧して暖房用熱交換器４６に供給する暖房循環ポンプ５９が設けられている。尚、暖房循環ポンプ５９には、膨張タンク５０から供給される湯が供給される入水口５９ａが設けられている。また、風呂用熱交換器５１の下方であって、さらに底板５の端部近傍には、後述するコントローラ６０（図９参照）の指示により、風呂熱交換器への温水の供給路を開閉する風呂熱動弁２４が設けられている。
【００３０】
さらに、図５に示すように、底板５の裏面側に固定された給水接続口１６の上方には、後述する給湯用熱交換器４５（図６参照）と、暖房用熱交換器４６とに供給される水量を調整する水量調整器６１が設けられ、水量調整器６１には給湯用給水管７５が接続され、その接続された一端部とは反対側の他端部は、右側壁３ｂの近傍に設けられたジョイント部９２に接続されている。
【００３１】
次に、バックカバー３に組み付けられる各装置の構成について、図６及び図７を参照して説明する。図６は、バックカバー３に膨張タンク５０以外の各装置を組み付けた状態を示すバックカバー３の正面図であり、図７は、図６のバックカバー３に膨張タンク５０を組み付けた状態を示すバックカバー３の正面図である。まず、バックカバー３内部の上部には、後述する給湯用バーナ４３と、暖房用バーナ４９との燃焼により排出される排気ガスが給湯暖房機１内全体に漏れないようにする正面視略逆三角形状の排気カバー４８がバックカバーの天板８側の端部近傍に複数のビスにより固定されている。そして、排気カバー４８の略中央部には正面視略円形状の排気口６２が設けられ、その排気口６２の外周枠には、中央が排気口６２と同形状に貫通する正面視略ドーナツ形状の排気アダプタ６３が排気カバー４８から水平方向に凸設されている。そして、排気口６２の内側には、異物が侵入することを防止するスリット穴状のカバー６２ａが嵌め込まれている。また、排気アダプタ６３は、上述したフロントカバー４に設けられた排気アダプタ６の裏面側に嵌合するようになっている。
【００３２】
さらに、図６に示すように、バックカバー３の天板８と底板５が固定される底面側とに挟まれる略中央付近には、供給される空気とガスの混合気体を燃焼する給湯用バーナ４３が設けられ、さらにその給湯用バーナ４３の左側壁３ａ側には、暖房用バーナ４９が給湯用バーナ４３と並列して設けられている。尚、給湯用バーナ４３のバックカバー３の背面壁３ｃ側には、イグナイタ１１０（図９参照）が設けられ、後述するコントローラ６０の制御指示により給湯用バーナ４３に点火動作を行う。また、暖房用バーナ４９にも同様に、図示外のイグナイタが設けられており、後述するコントローラ６０の制御指示により暖房用バーナ４９に点火動作を行う。
【００３３】
また、給湯用バーナ４３の上方には、給湯用熱交換器４５が設けられており、給湯用バーナ４３の燃焼気体による熱を回収して、給湯用熱交換器４５内を通過する給湯伝熱管７１内の水が加熱されるようになっている。そして、給湯用熱交換器４５の左側壁３ａ側には、暖房用熱交換器４６が給湯用熱交換器４５に並列して設けられ、上述した暖房用バーナ４９の上方に位置するように設けられている。尚、この暖房用熱交換器４６も同様に、暖房用バーナ４９の燃焼気体による熱を回収して、暖房用熱交換器４６内の暖房伝熱管（図示外）内を通過する水が加熱されるようになっている。この給湯暖房機１は上述の通り、給湯機能と暖房機能とを併せもつため、給湯用熱交換器４５と暖房用熱交換器４６とが別々に設けられ、給湯用熱交換器４５で加熱された湯は、給湯接続口１７と、図示外の風呂に供給され、暖房用熱交換器４６で加熱された湯は、図示外の放熱器に供給されるようになっている。また、給湯用熱交換器４５の右側壁３ｂ側の下部に設けられたジョイント部９３にはバイパス管７２が接続され、図５に示す給水接続口１６から供給される水がバイパス管７２を通過し、給湯用熱交換器４５で加熱された湯に混合されるようになっている。また、給湯用熱交換器４５には、給水接続口１６から供給される水を給湯用熱交換器４５に供給する給湯用給水管５３（図９参照）が接続されている。
【００３４】
さらに、図６に示すように、給湯用熱交換器４５の下方には、正面視略円形状の給湯用ファン４１が固定されており、給湯用ファン４１の駆動により外部より吸引された空気は給湯用バーナ４３に供給され、給湯用バーナ４３の燃焼に利用されるようになっている。また、暖房用熱交換器４６の下方には、暖房用ファン４２が固定されており、暖房用ファン４２の駆動により外部より吸引された空気は暖房用バーナ４９に供給され、暖房用バーナ４９の燃焼に利用されるようになっている。
【００３５】
次に、膨張タンク５０について、図７を参照して説明する。膨張タンク５０は、給湯暖房機１において、図示外の放熱機及び給湯暖房機１の配管内を循環する湯の膨張収縮を吸収するために設けられ、給湯暖房機１内の水量が所要水量に保持されるための調整を行う。上述のように各装置を組み付けた図６のバックカバー３において、給湯用熱交換器４５及び暖房用熱交換器４６と、フロントカバー４が固定されるバックカバー３の開放される前面との間には、内部が空洞になった膨張タンク５０が設けられている。そして、バックカバー３の左側壁３ａ側の膨張タンク５０の一端部からは、２本のアーム状の突出部５０ａ，５０ｂが水平方向に凸設されており、突出部５０ａ，５０ｂの先端近傍から下方に向かって図示外の軸部が凸設されている。そして、バックカバー３の暖房用熱交換器４６側の左側壁３ａには、突出部５０ａ，５０ｂの軸部が挿入可能な受け穴（図示外）を有する軸受け部５２ａ，５２ｂが、バックカバー３の内側に向かって凸設されている。そして、突出部５０ａ，５０ｂの軸部が、軸受け部５２ａ，５２ｂの受け穴（図示外）に挿入されることにより、膨張タンク５０はバックカバー３の暖房用熱交換器４６側の左側壁３ａに軸支されている。尚、膨張タンク５０は、バックカバー３の左側壁３ａに軸支されているので、膨張タンク５０を図７の左側手前に開くことができる。
【００３６】
また、膨張タンク５０の下部には、図示外の外部の放熱器から戻ってくる湯を膨張タンク５０に供給するジャバラ状のタンク戻り管４４が接続され、さらにそのタンク戻り管４４の近傍には、膨張タンク５０内の湯を底板５に組み付けられた暖房循環ポンプ５９に供給するためのジャバラ状のタンク往き管４７が膨張タンク５０に接続されている。尚、タンク往き管４７とタンク戻り管４４のジャバラは収縮又は伸長可能であるので、膨張タンク５０がバックカバー３内側面の軸支部分において回動しても、膨張タンク５０からタンク往き管４７とタンク戻り管４４とが抜けたりすることがない。さらに膨張タンク５０の右側壁３ｂ側の端部には、膨張タンク５０内に湯がオーバーフローした際に、外部に排出される排出口５８が設けられており、排出口５８にはオーバーフロー排出管７９が接続され、下方に向かって延設されている。
【００３７】
さらに、図７に示すように、バックカバー３の左側壁３ａ側の膨張タンク５０の前面側の角部近傍には膨張タンク５０の内部に貫通する貫通部（図示外）が設けられ、その貫通部にはジョイント部７８がビス７８ａ，７８ｂにより固定され、脱着可能となっている。さらに、ジョイント部７８には注水接続管７７が接続され、注水接続管７７には自動注水弁７４が設けられ、自動注水弁７４には注水管７６が接続されている。注水管７６には、給湯用熱交換器４５で加熱された湯が通過し、後述するコントローラ６０の指示による自動注水弁７４の開閉動作により、膨張タンク５０に供給される湯の量が調整される。尚、膨張タンク５０内には、膨張タンク５０内の水位を検出する炭素電極センサ９７が設けられており、炭素電極センサ９７の検出値がコントローラに送信され、膨張タンク５０内の水位が予め定められた水位より低い場合は、自動注水弁７４を開放して、膨張タンク５０に湯が供給されるように制御される。
【００３８】
尚、バックカバー３に底板５を固定する前段階において、底板５の表面側に組み付けられた各装置は外部に露出された状態（図５参照）となっており、水量調整器６１の水洩れ検査、給湯用ガス開閉器５４及び暖房用ガス開閉器３５のガス洩れ検査が行い易い。また、検査に不合格の装置を脱着して交換する際も簡単に行うことができる。そして、各検査が合格した時点で、各装置が組み付けられたバックカバー３の背面壁３ｃを床面側に載置し、開放された底面側に向かって、各装置が組み付けられた底板５を装着する。そして、バックカバー３に組み付けられた各装置と、バックカバー３の底面側から装着された底板５に組み付けられた各装置を互いに接続し、水又はガスの通過する複数の配管を各装置間において互いに接続する。そして、バックカバー３の下端部に設けられたフランジ３０の４つの固定穴３１と底板５の取付穴３６とを、底板５側からビスで固定する。さらに底板５の両端部に設けられたフランジ５ａ，５ｂに設けられた固定穴３７，３８と、バックカバー３の下端部に設けられた取付穴３３，３４とをビス４０（図２参照）でバックカバー３の左側壁３ａ及び右側壁３ｂの外側面から各々固定する。よって、各取付穴及び各固定穴は、床面側に隠れることがないので、バックカバー３及び底板５を置き換えることなく、バックカバー３に底板５を固定することができ、図８に示すように、給湯暖房機１の組み立てが完了する。
【００３９】
次に、各装置が組み付けられたバックカバー３に、各装置が組み付けられた底板５を固定した給湯暖房機１の構成について、図８又は図９を参照して説明する。図８は、フロントカバー４を外した状態を示す給湯暖房機１の正面図であり、図９は、給湯暖房機１の縦断面図である。図８に示すように、各装置が組み付けられたバックカバー３（図７参照）の開放される底面側に、各装置が組み付けられた底板５が固定されている。尚、バックカバー３への底板５の固定方法は、上述した通りである。図８に示すように、給湯用熱交換器４５（図６参照）に接続された給湯用給水管５３の一端部とは反対側の他端部側はジョイント部９２に接続されている。そして、図８又は図９に示すように、給湯用熱交換器４５で加熱された湯が通過する給湯用給湯管７３はジョイント部９３に接続され、ジョイント部９３にはバイパス管７２の一端側が接続され、該一端側と反対側の他端側は水量調整器６１に接続されている。また、図９に示すように、ジョイント部９３には給湯用接続管９０が接続され、そのジョイント部９３と接続する一端側と反対側の端部はジョイント部９５に接続されている。尚、給湯用接続管９０を通過した湯は、ジョイント部９５を通過して、給湯接続口１７から外部に供給されるようになっている。
【００４０】
また、図８に示すように、膨張タンク５０の近傍に設けられた自動注水弁７４に接続された注水管７６の一端部側と反対側の他端部側は給湯接続口１７の上方に設けられたジョイント部１０５に接続されている。注水管７６には、給湯接続口１７に供給される湯の一部が分岐し、ジョイント部１０５から供給され、膨張タンク５０に向かって供給されるようになっている。
【００４１】
さらに、暖房循環ポンプ５９と暖房用熱交換器４６（図６参照）との間には熱交換器往き管８８が接続されている。また、熱交換器往き管８８の長手方向の略中央には分岐口８８ａが設けられ、分岐口８８ａには暖房低温往き管９１が接続され、底板５に固定された低温往き接続口２５に低温の湯を供給するために、その分岐口８８ａと接続した一端側と反対側の他端部は、ジョイント部９９に接続されている。こうして、暖房循環ポンプ５９から加圧された湯は、熱交換器往き管８８と、熱交換器往き管８８の分岐口８８ａから分岐した暖房低温往き管９１とに分岐してそれぞれに供給されることになる。
【００４２】
さらに、膨張タンク５０の下部に接続されたジャバラ状のタンク往き管４７の一端側と反対側の他端側は暖房循環ポンプ５９の入水口５９ａ（図５参照）に接続されている。
【００４３】
そして、図８に示す暖房戻り接続口２２には図示外の暖房戻り配管が接続され、暖房戻り配管の暖房戻り接続口２２と接続する一端側とは反対側の他端部側は上述のタンク戻り管４４に接続されている。したがって、外部の暖房用の放熱器（図示外）で熱が回収された湯は、暖房戻り接続口２２に戻り、暖房戻り配管（図示外）、タンク戻り管４４の順に通過して膨張タンク５０に供給されるようになっている。
【００４４】
また、図８に示すように、ジョイント部９２の下方に設けられたジョイント部９４と、風呂循環ポンプ３２の上方に設けられたジョイント部９５とにはポンプ往き管８９が接続されている。ポンプ往き管８９内はジョイント部９４からジョイント部９５に向かって湯が流れ、風呂循環ポンプ３２に供給されるようになっている。そして、風呂循環ポンプ３２の上方のジョイント部９５に隣接して設けられたジョイント部９６と風呂用熱交換器５１とには、風呂用熱交換器往き管９８が接続されている。風呂用熱交換器往き管９８内は、風呂循環ポンプ３２によって、ジョイント部９６から風呂用熱交換器５１に向かって湯が流れるようになっている。
【００４５】
さらに、図９に示すように、フロントカバー４の内側の面の下部に、給湯暖房機１内に組み付けられた各装置の制御を行うコントローラ６０が固定されている。コントローラ６０は、図示外のリモコンの指示により各装置の運転制御及び各配管に設けられた弁の開閉制御を行っている。
【００４６】
尚、各装置を組み付けたバックカバー３に、各装置を組み付けた底板５を固定した後は、図４に示すバックカバー３の天板８の端部に設けられたフランジ２ａと、左側壁３ａの端部に設けられたフランジ２ｂと、右側壁３ｂの端部に設けられたフランジ２ｃと、底板５の端部に設けられたフランジ５ｃとに、フロントカバー４の外周枠に設けられた突出部４ａを当接させ、フランジ２ａと固定５ｃとに設けられた取付穴に固定されることにより、底板５が固定されたバックカバー３の開放される前面側にフロントカバー４が固定され、図１又は図２に示す略直方体状の給湯暖房機１が組み立てられるようになっている。
【００４７】
次に、バックカバー３と底板５との固定方法の変形例について、図１０を参照して説明する。図１０は、バックカバー３と底板５との固定方法の変形例を示す斜視図である。図１０に示すように、バックカバー３の背面壁３ｃの下端部には、背面壁３ｃと一体成形されたフランジ３００が延設され、フランジ３００はフロントカバー４が固定される側に向かって、背面壁３ｃに対して略直角方向に折り曲げられている。そしてフランジ３００には、底板５を固定するための４つの固定穴３１０が等間隔に設けられている。また、バックカバー３の左側壁３ａの下端部には、左側壁３ａと一体成形されたフランジ３７２が延設され、フランジ３７２は右側壁３ｂ側に向かって、左側壁３ａに対して略直角方向に折り曲げられている。そしてフランジ３７２には、底板５を固定するための３つの固定穴３７３が等間隔に設けられている。さらに、バックカバー３の右側壁３ｂの下端部には、右側壁３ｂと一体成形されたフランジ３８２が延設され、フランジ３８２は左側壁３ａ側に向かって、右側壁３ｂに対して略直角方向に折り曲げられている。そしてフランジ３８２には、底板５を固定するための３つの固定穴３８３が等間隔に設けられている。
【００４８】
また、図１０に示すように、フランジ３００が当接する底板５の端部（フロントカバー４の固定側端部）には、４つの固定穴３１０に各々対向する４つの取付穴３６０が設けられている。そして、フランジ３７２が当接する底板５の左端部には、３つの固定穴３７３に対向する３つの取付穴３７０が設けられている。さらに、フランジ３８２が当接する底板５の右端部には、３つの固定穴３８３に対向する３つの取付穴３８０が設けられている。尚、図１０に示すフランジ３００，３７２，３８２が、「第３のフランジ」に相当する。
【００４９】
そして、バックカバー３の背面壁３ｃを床面側に載置し、バックカバー３のフランジ３００，３７２及び３８２の外側面に、底板５の各端部を当接させる。この時に、固定穴３１０と取付穴３６０、固定穴３７３と取付穴３７０、固定穴３８３と取付穴３８０とが対向するので、底板５側からバックカバー３側に向かって一方向に、各々の固定穴と取付穴とをビス等で固定することができる。したがって、バックカバー３と底板５との固定が容易となり、効率的に固定作業を行うことができる。
【００５０】
以上説明したように、本実施の形態の給湯暖房機１は、前面及び底面が開放された略直方体状のバックカバー３には、給湯用バーナ４３と、暖房用バーナ４９と、給湯用熱交換器４５と、暖房用熱交換器４６と、給湯用ファン４１と、暖房用ファン４２と、膨張タンク５０とが組み付けられ、底板５には、給湯用ガス開閉器５４と、暖房用ガス開閉器３５と、風呂循環ポンプ３２と、暖房循環ポンプ５９とが組み付けられる。したがって、底板５への各装置の組み付け時に、筐体２の他の壁面が邪魔になることもなくその作業が容易である。しかも、バックカバー３に固定される前段階の底板５に組み付けられた各装置は外部に露出された状態となり、水量調整器６１の水洩れ検査、給湯用ガス開閉器５４及び暖房用ガス開閉器３５のガス洩れ検査、又は各装置の交換作業を容易に行うことができる。さらに、各検査が合格した時点で、各装置が組み付けられたバックカバー３の背面壁３ｃを床面側に載置し、開放された底面側に向かって、各装置が組み付けられた底板５を装着し、バックカバー３の下端部に設けられたフランジ３０の４つの固定穴３１と底板５の取付穴３６とを、底板５側からビスで固定する。そして、底板５の両端部に設けられたフランジ５ａ，５ｂに設けられた固定穴３７，３８と、バックカバー３の下端部に設けられた取付穴３３，３４とをビスでバックカバー３の左側壁３ａ及び右側壁３ｂの外側面から各々固定する。よって、各取付穴及び各固定穴は、床面側に隠れることがないので、バックカバー３及び底板５を置き換えることなく、バックカバー３に底板５を固定することができるので、給湯暖房機１の組み立てが容易に行うことができる。
【００５１】
尚、本発明の給湯機及び給湯機の組立方法では、上記の実施の形態に限定されることなく、各種の変更が可能である。上記実施の形態では、給湯機能と暖房機能とを併せもつ給湯暖房機１を一実施の形態として説明したが、給湯機能のみを備えた給湯機、又は暖房機能のみを備えた温水暖房装置等においても適用可能である。
【００５２】
【発明の効果】
以上説明したように、請求項１に係る発明の給湯機によれば、筐体はバックカバーと、底板と、フロントカバーとによって構成され、給湯機内に固定される装置全てがバックカバーに固定されるのではなく、バックカバーには送風ファンと、バーナと、熱交換器とが固定され、底板には水量調整器と、燃料調整器と、給水接続口と、ガス接続口と、給湯接続口とが固定され、その後にバックカバーに底板が組み付けられるので、給湯機を組み立て易く、作業時間を短縮することができる。また、バックカバーに底板を固定する前段階において、底板に固定された水量調整器及び燃料調整器等が外部に露出され、水量調整器及び燃料調整器等の検査や装置の取り替え作業等を容易に行うことができる。
【００５３】
請求項２に係る発明の給湯機では、請求項１に記載の発明の効果に加え、バックカバーに底板を組み付ける際に、バックカバーの背面側を床面等に載置し、バックカバーの開放される底面側から底板を当接すれば、第１のフランジに設けられた第１の固定穴と底板に設けられた第１の取付穴、及び第２のフランジに設けられた第２の固定穴とバックカバーに設けられた第２の取付穴が下に隠れることがなく、バックカバー及び底板を置き換えずに、一度に第１の固定穴と第１の取付穴及び第２の固定穴と第２の取付穴とを固定できる。したがって、作業の迅速化を図ることができ、作業時間を短縮することができる。
【００５４】
請求項３に係る発明の給湯機では、請求項１に記載の発明の効果に加え、バックカバーに底板を組み付ける際に、バックカバーの背面を床面等に載置し、バックカバーの開放される底面側に向かって底板を当接すれば、第３のフランジの第３の固定穴と底板の第３の取付穴とを底板側からバックカバー側に向かって、一方向に固定できるので、給湯機の組立作業を迅速に行うことができ、作業時間を短縮することができる。
【００５５】
請求項４に係る発明の給湯機の組立方法では、バックカバーの内側に、バーナと、送風ファンと、熱交換器とを固定し、次に底板の筐体内側の表面側に、水量調整器と、燃料調整器とを固定した後に、底板をバックカバーの底面側から固定するので、全ての装置をバックカバーに一度に固定する必要がなく、バックカバーと底板とに分けて固定することができる。したがって、バックカバーに底板が固定される前段階において、底板に固定された水量調整器及び燃料調整器等は外部に露出された状態であるので、水量調整器及び燃料調整器等の検査がしやすく、作業時間の短縮を図ることができる。
【図面の簡単な説明】
【図１】図１は、給湯暖房機１の正面図である。
【図２】図２は、給湯暖房機１の側面図である。
【図３】図３は、給湯暖房機１の底面図である。
【図４】図４は、バックカバー３と底板５との固定方法を示す斜視図である。
【図５】図５は、底板５に各装置を組み付けた状態を示す底板５の正面図である。
【図６】図６は、バックカバー３に膨張タンク５０以外の各装置を組み付けた状態を示すバックカバー３の正面図である。
【図７】図７は、図６のバックカバー３に膨張タンク５０を組み付けた状態を示すバックカバー３の正面図である。
【図８】図８は、フロントカバー４を外した状態を示す給湯暖房機１の正面図である。
【図９】図９は、給湯暖房機１の縦断面図である。
【図１０】図１０は、バックカバー３と底板５との固定方法の変形例を示す斜視図である。
【符号の説明】
１    給湯暖房機
２    筐体
３    バックカバー
４    フロントカバー
５    底板
１６    給水接続口
１７    給湯接続口
１８    オーバーフロー排出口
６１    水量調整器
３２    風呂循環ポンプ
３５    暖房用ガス開閉器
４１    給湯ファン
４２    暖房ファン
４３    給湯用バーナ
４５    給湯用熱交換器
４６    暖房用熱交換器
４９    暖房用バーナ
５０    膨張タンク
【図１】
2005037018.tif 000003
【図２】
2005037018.tif 000004
【図３】
2005037018.tif 000005
【図４】
2005037018.tif 000006
【図５】
2005037018.tif 000007
【図６】
2005037018.tif 000008
【図７】
2005037018.tif 000009
【図８】
2005037018.tif 000010
【図９】
2005037018.tif 000011
【図１０】
2005037018.tif 000012